【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
道および立体的な建造物の表示を含む３次元地図を表示手段に表示する画像処理装置であって、
上記表示手段に表示する視野を定める視点と２次元的な表示物との距離を、距離が小さい方から第１乃至第４のエリアのいずれに属するかを判断する手段と、
上記視点と上記表示物との距離が上記第１のエリアに含まれる場合に、上記表示物の上記表示手段上の描画サイズを最大値に設定する手段と、
上記視点と上記表示物との距離が上記第２のエリアに含まれる場合に、上記距離の長短に応じて上記表示物の上記表示手段上の描画サイズを最小値から最大値まで連続的に変化する値に設定する手段と、
上記視点と上記表示物との距離が上記第３のエリアに含まれる場合に、上記表示物の上記表示手段上の描画サイズを最小値に設定する手段と、
上記視点と上記表示物との距離が上記第４のエリアに含まれる場合に、上記表示物の描画をスキップする手段と、
描画サイズが設定された上記表示物を上記表示手段に２次元的に描画する手段とを備えたことを特徴とする画像処理装置。
【請求項２】
請求項１に記載の画像処理装置において、
上記表示物の種類毎に定められた最大足長に、上記視点から上記表示物を見下ろす俯角に応じて補正した値の長さを持ち、上端が上記表示物に接し、下端が上記表示物の表示位置に位置する逆三角形状の足エフェクトを描画する手段を更に備えたことを特徴とする画像処理装置。
【請求項３】
請求項１または２のいずれか一項に記載の画像処理装置において、
上記表示物が特別な地点を示す表示である場合、上記第４のエリアに含まれる場合に描画をスキップした上記表示物につき、地平線もしくは水平線の先であって表示位置に相当する位置に最小値の描画サイズで上記表示物を表示することを特徴とする画像処理装置。
【請求項４】
道および立体的な建造物の表示を含む３次元地図を表示手段に表示する画像処理装置であって、
上記表示手段に表示する視野を定める視点と３次元的な表示物との距離を、距離が小さい方から第１乃至第４のエリアのいずれに属するかを判断する手段と、
上記視点と上記表示物との距離が上記第１のエリアに含まれる場合に、上記表示物の３次元空間上の描画スケールを最小値に設定する手段と、
上記視点と上記表示物との距離が上記第２のエリアに含まれる場合に、上記距離の長短に応じて上記表示物の３次元空間上の描画スケールを最大値から最小値まで連続的に変化する値に設定する手段と、
上記視点と上記表示物との距離が上記第３のエリアに含まれる場合に、上記表示物の３次元空間上の描画スケールを最大値に設定する手段と、
上記視点と上記表示物との距離が上記第４のエリアに含まれる場合に、上記表示物の描画をスキップする手段と、
描画サイズが設定された上記表示物を上記表示手段に３次元的に描画する手段とを備えたことを特徴とする画像処理装置。
【請求項５】
道および立体的な建造物の表示を含む３次元地図を表示手段に表示する画像処理装置における表示物の描画方法であって、
上記表示手段に表示する視野を定める視点と２次元的な表示物との距離を、距離が小さい方から第１乃至第４のエリアのいずれに属するかを判断し、
上記視点と上記表示物との距離が上記第１のエリアに含まれる場合に、上記表示物の上記表示手段上の描画サイズを最大値に設定し、
上記視点と上記表示物との距離が上記第２のエリアに含まれる場合に、上記距離の長短に応じて上記表示物の上記表示手段上の描画サイズを最小値から最大値まで連続的に変化する値に設定し、
上記視点と上記表示物との距離が上記第３のエリアに含まれる場合に、上記表示物の上記表示手段上の描画サイズを最小値に設定し、
上記視点と上記表示物との距離が上記第４のエリアに含まれる場合に、上記表示物の描画をスキップし、
描画サイズが設定された上記表示物を上記表示手段に２次元的に描画することを特徴とする描画方法。
【請求項６】
道および立体的な建造物の表示を含む３次元地図を表示手段に表示する画像処理装置における表示物の描画方法であって、
上記表示手段に表示する視野を定める視点と３次元的な表示物との距離を、距離が小さい方から第１乃至第４のエリアのいずれに属するかを判断し、
上記視点と上記表示物との距離が上記第１のエリアに含まれる場合に、上記表示物の３次元空間上の描画スケールを最小値に設定し、
上記視点と上記表示物との距離が上記第２のエリアに含まれる場合に、上記距離の長短に応じて上記表示物の３次元空間上の描画スケールを最大値から最小値まで連続的に変化する値に設定し、
上記視点と上記表示物との距離が上記第３のエリアに含まれる場合に、上記表示物の３次元空間上の描画スケールを最大値に設定し、
上記視点と上記表示物との距離が上記第４のエリアに含まれる場合に、上記表示物の描画をスキップし、
描画サイズが設定された上記表示物を上記表示手段に３次元的に描画することを特徴とする描画方法。
【請求項７】
道および立体的な建造物の表示を含む３次元地図を表示手段に表示する画像処理装置における表示物の描画プログラムであって、
上記表示手段に表示する視野を定める視点と２次元的な表示物との距離を、距離が小さい方から第１乃至第４のエリアのいずれに属するかを判断する手段と、
上記視点と上記表示物との距離が上記第１のエリアに含まれる場合に、上記表示物の上記表示手段上の描画サイズを最大値に設定する手段と、
上記視点と上記表示物との距離が上記第２のエリアに含まれる場合に、上記距離の長短に応じて上記表示物の上記表示手段上の描画サイズを最小値から最大値まで連続的に変化する値に設定する手段と、
上記視点と上記表示物との距離が上記第３のエリアに含まれる場合に、上記表示物の上記表示手段上の描画サイズを最小値に設定する手段と、
上記視点と上記表示物との距離が上記第４のエリアに含まれる場合に、上記表示物の描画をスキップする手段と、
描画サイズが設定された上記表示物を上記表示手段に２次元的に描画する手段として、コンピュータを機能させることを特徴とする描画プログラム。
【請求項８】
道および立体的な建造物の表示を含む３次元地図を表示手段に表示する画像処理装置における表示物の描画プログラムであって、
上記表示手段に表示する視野を定める視点と３次元的な表示物との距離を、距離が小さい方から第１乃至第４のエリアのいずれに属するかを判断する手段と、
上記視点と上記表示物との距離が上記第１のエリアに含まれる場合に、上記表示物の３次元空間上の描画スケールを最小値に設定する手段と、
上記視点と上記表示物との距離が上記第２のエリアに含まれる場合に、上記距離の長短に応じて上記表示物の３次元空間上の描画スケールを最大値から最小値まで連続的に変化する値に設定する手段と、
上記視点と上記表示物との距離が上記第３のエリアに含まれる場合に、上記表示物の３次元空間上の描画スケールを最大値に設定する手段と、
上記視点と上記表示物との距離が上記第４のエリアに含まれる場合に、上記表示物の描画をスキップする手段と、
描画サイズが設定された上記表示物を上記表示手段に３次元的に描画する手段として、コンピュータを機能させることを特徴とする描画プログラム。
【手続補正２】
【補正対象書類名】明細書
【補正対象項目名】発明の名称
【補正方法】変更
【補正の内容】
【発明の名称】画像処理装置、描画方法および描画プログラム
【手続補正３】
【補正対象書類名】明細書
【補正対象項目名】０００１
【補正方法】変更
【補正の内容】
【０００１】
本発明は、カーナビゲーション装置等に適用可能な画像処理装置、描画方法および描画プログラムに関する。
【手続補正４】
【補正対象書類名】明細書
【補正対象項目名】０００６
【補正方法】変更
【補正の内容】
【０００６】
本発明は上記の従来の問題点に鑑み提案されたものであり、その目的とするところは、３Ｄ空間的な遠近感を持たせつつ２Ｄ的表示サイズの制限と距離による表示数の制限をかけることで、３Ｄ立体地図上における各種表示物の見やすさを向上させることのできる画像処理装置、描画方法および描画プログラムを提供することにある。
【手続補正５】
【補正対象書類名】明細書
【補正対象項目名】００１１
【補正方法】変更
【補正の内容】
【００１１】
また、請求項５または６に記載されるように、描画方法として構成することができる。
【手続補正６】
【補正対象書類名】明細書
【補正対象項目名】００１２
【補正方法】変更
【補正の内容】
【００１２】
また、請求項７または８に記載されるように、描画プログラムとして構成することができる。
【手続補正７】
【補正対象書類名】明細書
【補正対象項目名】００１３
【補正方法】変更
【補正の内容】
【００１３】
本発明の画像処理装置、描画方法および描画プログラムにあっては、３Ｄ空間的な遠近感を持たせつつ２Ｄ的表示サイズの制限と距離による表示数の制限をかけることで、３Ｄ立体地図上における各種表示物の見やすさを向上させることができる。